(57)【要約】【課題】液化天然ガスに受入設備においてコストが高い付帯設備を要することなく液化天然ガスの密度を簡易的に計測することができる液化天然ガスの密度計測装置の提供。【解決手段】液化天然ガスの受入設備１に設けられた密度計測装置３０であって、受入配管１０には、ドレン弁１６を備えるドレン配管１５の一端１５ａが接続されており、ドレン配管１５の他端１５ｂに接続されたボリュームタンク３１と、ボリュームタンク３１に一端３２ａが接続された、計器前弁３３を備える計器前配管３２と、計器前配管３２の他端３２ｂに接続されたコリオリ式密度計３４と、コリオリ式密度計３４に一端３５ａが接続された、計器後弁３６を備える計器後配管３５と、計器後配管３５の他端３５ｂに接続されたノックアウトドラム３７と、を有する。【選択図】図１
2017122620.tif 000002
【特許請求の範囲】
【請求項１】
液化天然ガスを積載して輸送する輸送手段と接続される受入配管と、前記輸送手段から前記受入配管を介して液化天然ガスを受け入れる貯蔵タンクと、を有する液化天然ガスの受入設備に設けられた、液化天然ガスの密度計測装置であって、
前記受入配管には、ドレン弁を備えるドレン配管の一端が接続されており、
前記ドレン配管の他端に接続された液組成安定用タンクと、
前記液組成安定用タンクに一端が接続された、計器前弁を備える計器前配管と、
前記計器前配管の他端に接続されたコリオリ式密度計と、
前記コリオリ式密度計に一端が接続された、計器後弁を備える計器後配管と、
前記計器後配管の他端に接続された気化タンクと、を有する、ことを特徴とする液化天然ガスの密度計測装置。
【発明の詳細な説明】
【技術分野】
【０００１】
本発明は、液化天然ガスの密度計測装置に関するものである。
【背景技術】
【０００２】
従来から、特許文献１に示すような液化天然ガスの熱量計測装置が知られている。この熱量計測装置は、測定対象の液化天然ガスの液密度を検出する液密度検出手段と、該液密度検出手段で検出された液密度を入力して予め求めた液化天然ガスの液密度とガス発熱量との相関に基づいて該測定対象の液化天然ガスのガス発熱量を演算する演算手段と、を備えている。
【先行技術文献】
【特許文献】
【０００３】
【特許文献１】特開２００６−４７０７１号公報
【発明の概要】
【発明が解決しようとする課題】
【０００４】
ところで、液化天然ガスの受入設備において液化天然ガスの密度を計測する場合、従来では、特許文献１の図１に示すようなガスクロマトグラフ設備を設置していた。ガスクロマトグラフ設備は、付帯設備としてガスボンベや気化器等を必要とし、コストが高い。また、ガスクロマトグラフ設備から液化天然ガス（若しくは気化した天然ガス）を返送する返送先の圧力によっては、ポンプや圧縮機が必要である。
【０００５】
本発明は、上記問題点に鑑みてなされたものであり、液化天然ガスの受入設備においてコストが高い付帯設備を要することなく液化天然ガスの密度を簡易的に計測することができる液化天然ガスの密度計測装置の提供を目的とする。
【課題を解決するための手段】
【０００６】
上記の課題を解決するために、本発明は、液化天然ガスを積載して輸送する輸送手段と接続される受入配管と、前記輸送手段から前記受入配管を介して液化天然ガスを受け入れる貯蔵タンクと、を有する液化天然ガスの受入設備に設けられた、液化天然ガスの密度計測装置であって、前記受入配管には、ドレン弁を備えるドレン配管の一端が接続されており、前記ドレン配管の他端に接続された液組成安定用タンクと、前記液組成安定用タンクに一端が接続された、計器前弁を備える計器前配管と、前記計器前配管の他端に接続されたコリオリ式密度計と、前記コリオリ式密度計に一端が接続された、計器後弁を備える計器後配管と、前記計器後配管の他端に接続された気化タンクと、を有する、液化天然ガスの密度計測装置を採用する。
【発明の効果】
【０００７】
本発明では、液化天然ガスの受入配管に接続されたドレン配管のドレン弁を開いて、液化天然ガスを液組成安定用タンクに貯溜する。次に、液組成安定用タンクにおいて液化天然ガスの組成が安定したら、計器前配管の計器前弁を開いて液化天然ガスをコリオリ式密度計に供給する。コリオリ式密度計は、ガスボンベや気化器といった付帯設備が原則不要であり、低コスト且つ簡易的に液化天然ガスの密度を計測することができる。コリオリ式密度計で液化天然ガスの密度を計測したら、計器後配管の計器後弁を開いて液化天然ガスを気化タンクに供給し、液化天然ガスを自然に気化させる。
これにより、本発明では、液化天然ガスの受入設備においてコストが高い付帯設備を要することなく液化天然ガスの密度を簡易的に計測することができる。
【図面の簡単な説明】
【０００８】
【図１】本発明の実施形態における密度計測装置が設けられた液化天然ガスの受入設備を示す系統図である。
【発明を実施するための形態】
【０００９】
以下、本発明の実施形態にかかる液化天然ガスの密度計測装置（以下、単に密度計測装置と称する）について図面を参照して説明する。
【００１０】
図１は、本発明の実施形態における密度計測装置３０が設けられた液化天然ガスの受入設備１を示す系統図である。
図１に示すように、液化天然ガスの受入設備１は、受入配管１０と、貯蔵タンク２０と、密度計測装置３０と、を有する。
【００１１】
受入配管１０は、液化天然ガス２を積載して輸送するタンカー３（輸送手段）と接続される配管である。タンカー３に積載された液化天然ガス２は、払出し管４にジョイント５を介して接続されたローディングアーム６から受入配管１０に供給される。
貯蔵タンク２０は、タンカー３から受入配管１０を介して液化天然ガス２を受け入れるタンクである。貯蔵タンク２０は、例えば、内槽と外槽との間に保冷材が充填された二重殻構造の円筒型タンクである。
【００１２】
受入配管１０は、貯蔵タンク２０の上部に液化天然ガス２を供給する第１配管１１と、貯蔵タンク２０の下部に液化天然ガス２を供給する第２配管１２と、を有する。第１配管１１には、開閉弁１３が設けられ、また、第２配管１２には、開閉弁１４が設けられている。このように受入配管１０は、タンカー３に積載された液化天然ガス２の密度に応じて、液化天然ガス２の供給位置を貯蔵タンク２０の上部と下部に切り替え可能な構成となっている。
【００１３】
タンカー３に積載された液化天然ガス２の密度が、貯蔵タンク２０に貯蔵されている液化天然ガス２の密度より大きい（重い）場合、開閉弁１４を閉じて開閉弁１３を開き、第１配管１１を介して液化天然ガス２を貯蔵タンク２０の上部に供給する。また、タンカー３に積載された液化天然ガス２の密度が、貯蔵タンク２０に貯蔵されている液化天然ガス２の密度より小さい（軽い）場合、開閉弁１３を閉じて開閉弁１４を開き、第２配管１２を介して液化天然ガス２を貯蔵タンク２０の下部に供給する。これにより、所謂ロールオーバー現象の発生を防止することができる。
【００１４】
受入配管１０には、ドレン弁１６を備えるドレン配管１５の一端１５ａが接続されている。ドレン配管１５の一端１５ａは、ローディングアーム６よりも下流側であって、第１配管１１と第２配管１２との分岐点よりも上流側に接続されている。ドレン配管１５の他端１５ｂには、密度計測装置３０が接続されている。
密度計測装置３０は、ボリュームタンク３１（液組成安定用タンク）と、計器前配管３２と、コリオリ式密度計３４と、ノックアウトドラム３７（気化タンク）と、を有する。
【００１５】
ボリュームタンク３１は、ドレン配管１５の他端１５ｂに接続された液組成安定用のタンクである。ドレン配管１５の他端１５ｂは、ボリュームタンク３１の上部に接続されている。
計器前配管３２は、計器前弁３３を備えており、ボリュームタンク３１に一端３２ａが接続されている。計器前配管３２の一端３２ａは、ボリュームタンク３１の下部に接続されている。
【００１６】
コリオリ式密度計３４は、計器前配管３２の他端３２ｂに接続されている。計器前配管３２の他端３２ｂは、コリオリ式密度計３４の上流側に接続されている。コリオリ式密度計３４は、流体を収容したチューブ体を所定の固有振動数で振動させ、そのチューブ体の振動数を計測することで、チューブ体の内部流体の密度を計測するものである。コリオリ式密度計３４としては、チューブ体を振動させる電磁オシレータ、チューブ体の振動数を計測する電磁ピックオフ等を備える周知のものを使用することができる。
【００１７】
計器後配管３５は、計器後弁３６を備えており、コリオリ式密度計３４に一端３５ａが接続されている。計器後配管３５の一端３５ａは、コリオリ式密度計３４の下流側に接続されている。
ノックアウトドラム３７は、計器後配管３５の他端３５ｂに接続されている。計器後配管３５の他端３５ｂは、ノックアウトドラム３７の上部に接続されている。ノックアウトドラム３７は、液化天然ガス２を自然に気化させる気化タンクである。
【００１８】
ノックアウトドラム３７は、液化天然ガス２が気化した天然ガスを排出する排出配管３８を有する。排出配管３８は、ノックアウトドラム３７の上部に接続されている。排出配管３８は、既設の図示しないＢＯＧ（boil off gas）配管等に接続されている。また、ノックアウトドラム３７には、液化天然ガス２のあふれ防止監視用の温度計３９ａと、液化天然ガス２の濃縮監視用の温度計３９ｂとが設けられている。
【００１９】
続いて、上記構成の密度計測装置３０を用いた液化天然ガス２の密度計測手順について説明する。
【００２０】
（１）先ず、ドレン弁１６の全閉と、計器前弁３３及び計器後弁３６の全開を確認する。
【００２１】
（２）次に、受入配管１０を介した液化天然ガス２の受け入れがフルレートに到達した後、計器前弁３３及び計器後弁３６を全閉とし、次にドレン弁１６を開く。
ドレン弁１６を開くと、ドレン配管１５を介して液化天然ガス２がボリュームタンク３１に供給される。
【００２２】
（３）ボリュームタンク３１に液化天然ガス２が液充された後、計器前弁３３を全開とする（密度計測開始）。
計器前弁３３を開くと、計器前配管３２を介して液化天然ガス２がコリオリ式密度計３４のチューブ体に供給される。コリオリ式密度計３４は、電磁オシレータを駆動させ、チューブ体の振動を電磁ピックオフで計測する。
【００２３】
（４）コリオリ式密度計３４に液充された液化天然ガス２の組成が安定するまで、計器後弁３６を微開とし、液化天然ガス２の密度を計測する。
なお、液化天然ガス２の流出量が多い場合、液化天然ガス２の天然ガスが安定した段階で、計器後弁３６を全閉とすることが好ましい。これにより、液化天然ガス２の流出量を抑えることができる。
【００２４】
（５）コリオリ式密度計３４で密度計測後、計器後弁３６を開き、また、ドレン弁１６を全閉とし、ボリュームタンク３１、計器前配管３２、コリオリ式密度計３４及び計器後配管３５の内部の液化天然ガス２をノックアウトドラム３７に落とす。
【００２５】
（６）ノックアウトドラム３７では、密度計測後の液化天然ガス２を自然気化させる。
以上により、液化天然ガス２の密度計測手順が終了する。なお、再度計測する場合は、手順（４）に戻り計測を行う。
【００２６】
このように、本実施形態では、液化天然ガス２の受入配管１０に接続されたドレン配管１５のドレン弁１６を開いて、液化天然ガス２を密度計測装置３０に供給する。ドレン配管１５は、既設設備であるため、密度計測装置３０の追加設置が容易である。
【００２７】
また、本実施形態では、密度計測開始前に、ドレン配管１５のドレン弁１６から供給される液化天然ガス２をボリュームタンク３１で一時的に貯溜するため、液化天然ガス２の組成を安定化させることができる。これにより、簡易的ながらも正確に液化天然ガス２の密度を計測することができる。
【００２８】
また、本実施形態では、ボリュームタンク３１において液化天然ガス２の組成が安定したら、計器前配管３２の計器前弁３３を開いて液化天然ガス２をコリオリ式密度計３４に供給する。コリオリ式密度計３４は、ガスボンベや気化器といった付帯設備が原則不要であり、低コスト且つ簡易的に液化天然ガス２の密度を計測することができる。
【００２９】
コリオリ式密度計３４で液化天然ガス２の密度を計測したら、計器後配管３５の計器後弁３６を開いて液化天然ガス２をノックアウトドラム３７に供給し、液化天然ガス２を自然に気化させる。これにより、本実施形態では、液化天然ガスの受入設備１においてコストが高い付帯設備（ガスボンベや気化器等）を要することなく液化天然ガス２を気化させることができる。
【００３０】
密度計測装置３０による計測の結果、タンカー３に積載された液化天然ガス２の密度が、貯蔵タンク２０に貯蔵されている液化天然ガス２の密度より大きい（重い）場合、開閉弁１４を閉じて開閉弁１３を開き、第１配管１１を介して液化天然ガス２を貯蔵タンク２０の上部に供給する。また、タンカー３に積載された液化天然ガス２の密度が、貯蔵タンク２０に貯蔵されている液化天然ガス２の密度より小さい（軽い）場合、開閉弁１３を閉じて開閉弁１４を開き、第２配管１２を介して液化天然ガス２を貯蔵タンク２０の下部に供給する。
本実施形態の密度計測装置３０は、既設設備に容易に付設することができ、また、タンカー３に積載された液化天然ガス２の密度が予め分かっていない場合であっても、簡易且つ迅速に液化天然ガス２の密度を計測することができるため、所謂ロールオーバー現象の発生を確実に防止することができる。
【００３１】
このように、上述の本実施形態によれば、液化天然ガス２を積載して輸送するタンカー３と接続される受入配管１０と、タンカー３から受入配管１０を介して液化天然ガス２を受け入れる貯蔵タンク２０と、を有する液化天然ガスの受入設備１に設けられた、液化天然ガスの密度計測装置３０であって、受入配管１０には、ドレン弁１６を備えるドレン配管１５の一端１５ａが接続されており、ドレン配管１５の他端１５ｂに接続されたボリュームタンク３１と、ボリュームタンク３１に一端３２ａが接続された、計器前弁３３を備える計器前配管３２と、計器前配管３２の他端３２ｂに接続されたコリオリ式密度計３４と、コリオリ式密度計３４に一端３５ａが接続された、計器後弁３６を備える計器後配管３５と、計器後配管３５の他端３５ｂに接続されたノックアウトドラム３７と、を有する、という構成を採用することによって、液化天然ガスの受入設備１においてコストが高い付帯設備を要することなく液化天然ガス２の密度を簡易的に計測することができる。
【００３２】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【符号の説明】
【００３３】
１  液化天然ガスの受入設備
２  液化天然ガス
３  タンカー（輸送手段）
４  払出し管
５  ジョイント
６  ローディングアーム
１０  受入配管
１１  第１配管
１２  第２配管
１３  開閉弁
１４  開閉弁
１５  ドレン配管
１５ａ  一端
１５ｂ  他端
１６  ドレン弁
２０  貯蔵タンク
３０  液化天然ガスの密度計測装置
３１  ボリュームタンク（液組成安定用タンク）
３２  計器前配管
３２ａ  一端
３２ｂ  他端
３３  計器前弁
３４  コリオリ式密度計
３５  計器後配管
３５ａ  一端
３５ｂ  他端
３６  計器後弁
３７  ノックアウトドラム（気化タンク）
３８  排出配管
３９ａ  あふれ防止監視用の温度計
３９ｂ  濃縮監視用の温度計
【図１】
2017122620.tif 000003